(57)【要約】  本発明は、ウォーキングポール、トレッキングポール、アルペンスキーポール、クロスカントリースキーポール、又はノルディックウォーキングポールのためのポールハンドル（１）に関し、ポールハンドルは長さ調整可能なハンドストラップ（２）を備え、ストラップの長さは、ハンドル本体に配置された制止要素を使用して固定される。ハンドストラップの第１の端部は、ハンドル本体（４）のヘッドセクション（４ａ）に固定され、ストラップの中間セクション（２ｄ）は、ハンドル本体（４）の開口部（６）の中に導入され、開口部（６）における湾曲要素（１１）の周りに湾曲され、自由な第２の端部（２ｂ）として下向きに通過してハンドル本体から出る。制止要素は、ハンドストラップの長さの調整機能を制止させるため、下部ストラップセクション（２ｅ）上に押圧される。
2020511225.tif 000002
【特許請求の範囲】
【請求項１】
長さ調整可能なハンドストラップ（２）を伴う、ウォーキングポール、トレッキングポール、アルペンスキーポール、クロスカントリースキーポール、又はノルディックウォーキングポールのためのポールハンドル（１）であって、
ヘッドセクション（４ａ）及びグリップセクション（４ｂ）を伴うハンドル本体（４）を備え、
前記ハンドストラップ（２）は、使用するために前記ハンドル本体の前記ハンドストラップ（２）の長さを制止し調整するためのデバイスを用いて定着され、
前記ハンドル本体（４）は、径方向の第１のセクション（６ａ）及び軸方向の第２のセクション（６ｂ）を伴う開口部（６）を備え、
前記ハンドストラップ（２）は、第１の端部（２ａ）を備えるとともに、中間ストラップセクション（２ｄ）を伴い前記ハンドル本体（４）の前記開口部（６）の中に入り、湾曲要素（１１）の周りで湾曲され、自由な第２の端部（２ｂ）として底部に向かって前記開口部（６）を出ていき、
前記ハンドストラップ（２）が下向きに方向付けられると、下部の前記自由な第２の端部（２ｂ）に向かって前記開口部（６）から出る下部ストラップセクション（２ｅ）を制止する制止要素（１０）が、前記開口部（６）内に配置され、
前記ハンドル本体（４）の前記開口部（６）における上部ヘッドセクション（７ａ）を伴って配置された挿入要素（７）に、前記制止要素（１０）が取り付けられるポールハンドル。
【請求項２】
制止位置において、前記下部ストラップセクション（２ｅ）は、前記挿入要素（７）の支持面（２０）上に、前記制止要素（１０）によって制止するように押圧される請求項１に記載のポールハンドル。
【請求項３】
前記ハンドストラップ（２）の前記第１の端部（２ａ）は、前記ハンドル本体（４）の前記ヘッドセクション（４ａ）に定着される請求項１又は２に記載のポールハンドル。
【請求項４】
前記挿入要素（７）は、前記ヘッドセクション（７ａ）に軸方向下向きに隣接し、好ましくは中空円筒として形成され、より好ましくは前記ヘッドセクション（７ａ）と一体化して形成された下部ネックセクション（７ｂ）を備え、
前記ネックセクション（７ｂ）は、最上部のチューブセクション（３）の中央開口部（５）におけるポールチューブの前記最上部のチューブセクション（３）の上端部（３ａ）において挿入可能若しくは挿入されるか、又は前記最上部のチューブセクション（３）にスライド可能若しくはスライドされて、前記ネックセクション（７ｂ）は、任意選択で前記最上部のチューブセクション（３）の中若しくは上に定着され、
前記挿入要素（７）は、好ましくは前記ヘッドセクション（７ａ）と前記ネックセクション（７ｂ）との間に、前記最上部のチューブセクション（３）のための上部停止面として働く肩部（１５、１５ａ）を備える請求項１〜３のいずれか一項に記載のポールハンドル。
【請求項５】
前記ヘッドセクション（７ａ）と前記ネックセクション（７ｂ）との間に、ポール長手方向軸（Ｌ）を横行し、本質的に径方向に延びる隔壁（９）が配置され、前記隔壁（９）は、好ましくは前記肩部（１５）の領域に少なくとも部分的に、前記下部ストラップセクション（２ｅ）のための前記支持面（２０）を形成し、前記支持面（２０）に対して前記下部ストラップセクション（２ｅ）が前記制止位置で押圧される請求項４に記載のポールハンドル。
【請求項６】
前記ハンドストラップの上部の前記第１の端部（２ａ）は、定着要素（１３）によって、好ましくはねじ、ピン、ボルト、又はリベットによって、前記挿入要素（７）の上壁（７ｆ）上、又はその中に定着される請求項１〜５のいずれか一項に記載のポールハンドル（１）。
【請求項７】
前記湾曲要素はピン（１１）であり、本質的に前記ハンドル本体（４）の長手方向軸（Ｌ）を横行して配置され、好ましくは対応する開口部において前記挿入要素（７）の側壁（７ｅ）に取り付けられ、これらの開口部は好ましくは、少なくとも一方の側が貫通開口部として形成される請求項１〜６のいずれか一項に記載のポールハンドル（１）。
【請求項８】
前記制止要素（１０）は、前記湾曲要素（１１）の周りに回転可能又は枢動可能に取り付けられる請求項１〜７のいずれか一項に記載のポールハンドル（１）。
【請求項９】
前記制止要素（１０）は、前記制止要素（１０）は、前記制止位置において、前記自由な下部の第２の端部（２ｂ）に向かって前記ハンドル本体（４）を出る前記下部ストラップセクション（２ｅ）上に押圧される、角度が付けられた領域（１０ｃ）、すなわち下向きに方向付けられた領域（１０ｃ）を備える請求項１〜８のいずれか一項に記載のポールハンドル（１）。
【請求項１０】
前記ハンドル本体（４）に入る前記中間ストラップセクション（２ｄ）は、前記ハンドル本体（４）の前記ヘッドセクション（４ａ）の前記開口部（６）において本質的に水平に配置され、且つ対応する開口部において前記挿入要素（７）の前記側壁（７ｅ）に取り付けられたピン（１１）の周りに誘導され、
前記中間ストラップセクション（２ｄ）は、第２の自由な下端部（２ｂ）として前記底部に向かって前記ハンドル本体（４）の前記開口部（６）から誘導されて出され、
前記制止要素（１０）は、前記中間ストラップセクション（２ｄ）によって外側で少なくとも１２０°、好ましくは少なくとも１６０°の包囲角度で囲まれた湾曲セクション（１０ａ）を備え、
前記制止要素（１０）は、前記湾曲セクション（１０ａ）に隣接した直線セクション（１０ｂ）を備え、前記直線セクション（１０ｂ）は、前記ピン（１１）から離れるよう方向付けられ、且つ下向きの角度が付けられた領域（１０ｃ）を備えた端部を有する請求項１〜９のいずれか一項に記載のポールハンドル（１）。
【請求項１１】
前記制止要素（１０）の、前記直線セクション（１０ｂ）及び前記角度が付けられた領域（１０ｃ）の各々は、前記ハンドストラップ（２）が下向きに方向付けられたときに、前記ハンドル本体（４）の前記開口部（６）に入る前記中間ストラップセクション（２ｄ）が、前記制止要素（１０）の前記角度が付けられた領域（１０ｃ）を、前記自由端部（２ｅ）に向かって前記ハンドル本体（４）を出る前記下部ストラップセクション（２ｅ）上に下向きに押圧するような、長さ又は高さを有する請求項１〜１０のいずれか一項に記載のポールハンドル（１）。
【請求項１２】
前記制止要素（１０）は、特に前記制止要素（１０）の前記角度が付けられた領域（１０ｃ）の底部側に、歯部（１２）を備える請求項１〜１１のいずれか一項に記載のポールハンドル（１）。
【請求項１３】
前記挿入要素（７）は、金属、特にアルミニウム若しくはアルミニウム合金、及び／又は、プラスチック材料、特に硬質プラスチック、好ましくは、任意選択で繊維強化しうるＰＣ、ＰＰ、ポリアミド、ＡＢＳで形成される請求項１〜１２のいずれか一項に記載のポールハンドル（１）。
【請求項１４】
前記制止要素（１０）は、引張り力を介して前記制止位置に保持され、緊張を解かれた際、又は前記ハンドストラップ（２）の選択的な上向きの湾曲の際のみに、前記ハンドストラップの前記長さの調整機能が可能となる請求項１〜１３のいずれか一項に記載のポールハンドル（１）。
【請求項１５】
前記制止要素（１０）は、前記挿入要素（７）の上部中央開口部（８ａ）に配置され、好ましくは前記制止要素（１０）は、横行ピンとして形成された前記湾曲要素（１１）に回転可能又は固定して定着され、前記横行ピン（１１）は、前記ポール長手方向軸（Ｌ）を横行する方向、且つ前記ハンドル本体（４）の前記開口部（６）に入る前記中間ストラップセクション（２ｄ）の挿入方向を横行する方向に、前記挿入要素（７）の前記上部中央開口部（８ａ）に突出し、前記横行ピン（１１）は、前記挿入要素（７）の前記ヘッドセクション（７ａ）の壁の両側に取り付けられる請求項１〜１４のいずれか一項に記載のポールハンドル（１）。
【請求項１６】
前記制止要素（１０）は、前記下部ストラップセクション（２ｅ）を制止させる目的で、前記ハンドストラップが下向きに動く際に、前記湾曲要素（１１）の周りを下向きに枢動され、
前記制止要素（１０）は、前記ハンドストラップの前記長さの調整機能を可能にする目的で、前記ハンドストラップ（２）が上向きに動く際に、前記湾曲要素（１１）の周りを上向きに枢動されて、前記下部ストラップセクション（２ｅ）を解放する請求項１〜１５のいずれか一項に記載のポールハンドル（１）。
【請求項１７】
請求項１〜１６のいずれか一項に記載のポールハンドル（１）を備える、特にウォーキングポール、トレッキングポール、アルペンスキーポール、クロスカントリースキーポール、又はノルディックウォーキングポールであるポール。
【発明の詳細な説明】
【技術分野】
【０００１】
本発明はポールハンドルに関し、特に、ハンドル本体及び長さを可変的に調整可能なハンドストラップを有する、ウォーキングポール、トレッキングポール、アルペンスキーポール、クロスカントリーポール、ノルディックウォーキングポールに関する。
【背景技術】
【０００２】
ウォーキングポール、トレッキングポール、アルペンスキーポール、クロスカントリーポール、並びにノルディックウォーキングポールは、一般に、手によって把持されるポールハンドルを上端部に備える。不注意によるポールの紛失を避けるため、及び使用者の手の力をポールに伝達するために、一般に、ハンドストラップは、このポールハンドルに定着され、ポールハンドルを把持する前に、ハンドストラップを通して、手が誘導される。このようなハンドストラップは、一般に、様々な手のサイズ、並びにグローブを使用するか使用しないかで、長さを変化させることによって調整可能である。この点において、ハンドストラップをポールハンドルに可変的に定着させるための、複数の可能性が存在する。
【０００３】
一方で、ポールハンドルの中又は上に、ハンドストラップをねじで定着しており、ハンドストラップをねじ留めする種々の位置を提供することが可能である。しかし、ストラップが上向きに引かれるときに、ストラップの長さを変化させることができ、ストラップが下向きに引かれるときに、ストラップの長さが固定される、という定着機構が提供される構造も存在する。このような定着機構は、例えば、使用者が滑落し、その結果上向きのストラップの引張りが生じる場合、ストラップが緩んで、例えば、スキーヤーの親指など、手の損傷を避けることができ、とりわけ有利である。
【０００４】
このような構造は、例えば、特許文献１、並びに特許文献２、特許文献３、又は特許文献４に記載されている。特許文献３は、長さの調整可能なハンドストラップを開示している。特許文献３では、ストラップの第１の端部はハンドグリップに定着され、第２の端部は、ポールの軸に対して垂直に配置された定着手段を用いて、ハンドグリップの外側で所望の長さに定着させることができる。一方で、ストラップの第２の端部の残りの部分は、ハンドグリップを介してポールチューブの中に挿入可能である。特許文献５は、ストラップを使用する長さのために改善された制止機構を伴う、このようなハンドグリップを開示している。しかし、このようなハンドグリップは、例えば、発泡材料又はコルクなどの軟質材料から形成されるとき、ハンドストラップを出し入れする箇所のグリップ材料は、緊張による擦過によって、すぐに摩損し得るという欠点を有する。さらに既存のシステムには、グリップが軟質材料で形成される場合、安定性が不十分であるという欠点を有する。
【先行技術文献】
【特許文献】
【０００５】
【特許文献１】ＤＥ１９６３２７１８Ｃ２
【特許文献２】ＥＰ１１１８３６２
【特許文献３】ＵＳ３，１１３，７８６
【特許文献４】ＤＥ２９９０６６１２Ｕ１
【特許文献５】ＥＰ１８１９４０６
【発明の概要】
【発明が解決しようとする課題】
【０００６】
したがって本発明は、とりわけ、従来技術の欠点を克服する、改善されたポールハンドルを提供する目的に基づいている。特に、簡単に作製することができ、ポールハンドルのグリップ材料を、引張りによる緊張及びストラップによる擦過から保護することが可能な、ストラップの長さを安全に制止する機構を伴うポールハンドルを提供する。
【課題を解決するための手段】
【０００７】
この課題の解決は、請求項１に記載のポールハンドルによって実現される。
【０００８】
本発明による、ウォーキングポール、トレッキングポール、アルペンスキーポール、クロスカントリースキーポール、又はノルディックウォーキングポールのポールハンドルにおいて、長さ調整可能なハンドストラップは、ハンドル本体に、又はハンドル本体上に定着される。本発明によるポールハンドルは、ハンドストラップを使用する長さに制止させ、調整するデバイスをさらに備える。ハンドストラップは、ハンドストラップの定着された第１の端部と、自由な第２の端部との間に、使用者の手を囲むループを形成する、本質的にバンドのように形成された要素を備える。ここにおいて、ループはその長さを調整可能である。ループの長さは、ハンドストラップが上向きに動かされるときに調整可能となり、下向きの動きによって固定される。これは以下でさらに詳細に説明する。
【０００９】
バンドのように形成されたハンドストラップの要素は、好ましくは５〜２５ｍｍの好ましい幅の織布材料によって形成され、好ましくは人口繊維又は天然繊維の織布バンドから形成される。或いはストラップは、軟質プラスチック材料から熱可塑的に成型することもできる。
【００１０】
ポールハンドルは、ヘッドセクション及びグリップセクションを伴うハンドル本体を備える。さらにハンドル本体は、ハンドルヘッドの領域における径方向の第１のセクションと、本質的にハンドル本体の領域における軸方向の第２のセクションとを伴う開口部を備える。軸方向の第２のセクションは、ヘッドセクションの領域の中に延びる。水平の第１のセクションは、本質的に、ハンドル本体において、ハンドストラップを挿入し、定着させるよう働き、一方で、軸方向の第２のセクションは、本質的に、ポールチューブの最上部のチューブセクションを、下方から受け入れるよう働く。すなわち、開口部の軸方向の第２のセクションは、ハンドル本体の下端部に向けて口を開けたように形成される。換言すると、開口部は、ハンドル本体の下端部の底部と、ハンドストラップの挿入領域における後部との、両方に向けて口を開けたように形成され、ハンドル本体における開口部の軸方向の第２のセクションは、本質的に水平な開口部の第１のセクションの中に延びる。
【００１１】
ハンドストラップは、一方又は一方の側に第１の端部を備え、好ましくはポール本体のヘッドセクションに定着される。他方の側で、ハンドストラップは、まずは中間ストラップセクションがハンドル本体の開口部の中に入り、次に湾曲要素のまわりに開口部内で湾曲され、次にハンドル本体の開口部から底部に向けて自由な第２の端部として出る。開口部において、又はハンドル本体のヘッドセクションの内部において、制止要素が配置される。制止要素は、ハンドストラップの引張りによる緊張が、特に下向きに方向付けられる場合に、下部の自由な第２の端部に向けてハンドル本体の開口部から出る下部ストラップセクションを制止させる。本発明によるポールハンドルにおいて、制止要素は挿入要素に取り付けられる。制止要素は、少なくとも挿入要素の上部ヘッドセクションと共に、ハンドル本体の開口部に配置される。制止位置において、下部ストラップセクションは、制止要素によって、好ましくは挿入要素の支持面、又は挿入要素上の支持面に押圧されて制止される。
【００１２】
このような挿入要素を別個の構造ユニットとして設けることによって、一方ではポールハンドルの作製が簡略化される。さらに、緊張箇所が挿入要素の中に移され、いうなれば、それが制止機構のハウジングを形成するので、ハンドル材料が省かれる。
【００１３】
第１の好ましい実施形態によると、挿入要素は、ヘッドセクションに軸方向下向きに隣接する下部ネックセクションを備える。挿入要素のネックセクションは、最上部のポールセクションの中央開口部における、ポールチューブの最上部のポールセクションの上端部において挿入可能、又は挿入されている。挿入要素の下部の軸方向セクション、すなわち挿入要素のネックセクションは、下方から軸方向にポールハンドルの中に突出するか、又はポールハンドルの中に埋め込まれており、本質的に円筒形であり、好ましくは材料及び重量の節約のために中空の円筒形の形態で形成される。好ましくは、ネックセクションはヘッドセクションと一体化して形成される。
【００１４】
挿入要素は、別の好ましい実施形態によると、そのネックセクションが、最上部のチューブセクションに配置され、定着されており、例えば、最上部のチューブセクションに、圧入、接着、又は機械的に連結される。挿入要素のヘッドセクションは、ハンドル本体の軸方向開口部に配置される。ハンドル本体はその中で、この挿入要素のヘッドセクションに追加的に接着又は圧入させることができる。しかし挿入要素の定着は、最上部のチューブセクション内における挿入要素のネックセクションによって、主に実現される。
【００１５】
挿入要素は、好ましくは、より大きい直径を有するヘッドセクションと、より小さい直径を有するネックセクションとの間に肩部を備える。この肩部は、最上部のチューブセクションのための、上部停止面として働く。
【００１６】
代替の好ましい実施形態において、挿入要素のネックセクションは、スリーブとして形成され、挿入要素は、最上部のチューブセクションの上にスライドされているか、又はスライドされる。換言すると、挿入要素は、最上部のチューブセクションの上端部を覆ってスリーブで接続することができるか、又は最上部のチューブセクションの上端部の上にスリーブで接続される。挿入要素のヘッドセクションは、この実施形態においても、その空洞に、ハンドストラップの湾曲及び長さの固定に役立つ制止要素を備える。ネックセクションは、最上部のチューブセクションを受け入れるのに適したスリーブとして形成される。スリーブの内径は、好ましくは最上部のチューブセクションの外径よりも僅かに大きい。この実施形態における挿入要素は、最上部のチューブセクションに取り付けられ、好ましくはハンドル本体の組立て前に最上部のチューブセクションに定着させるか、又は挿入要素がすでに定着されたハンドル本体との構造ユニットとして、若しくは挿入要素がすでに取り付けられたハンドルスリーブとの構造ユニットとして、のいずれかで取り付けられ得る。ハンドル本体を挿入要素に定着させることは、好ましくは接着接合によって実施される。最上部のチューブセクションを、挿入要素のネックセクションに定着させることは、好ましくは圧入、又は接着接合によって実施される。挿入要素の長さは、この好ましいスリーブ状の実施形態において、好ましくはハンドル本体の長さの大部分を介して延びるか、又はハンドル本体の開口部における水平の第１のセクションから、ハンドル本体の開口部における軸方向の第２のセクション内で、その全体長さに沿ったハンドル本体の下端部まで延びる。
【００１７】
別の好ましい実施形態によると、ヘッドセクションとネックセクションとの間で、隔壁が、ポール長手方向軸を横行し、且つ本質的に径方向に延びて配置される。前記隔壁は、挿入要素における空洞を底部に向けて制限するか、又は空洞を上部中央開口部と下部中央開口部とに分離するか、又は上部中央開口部の床部を形成する。この隔壁は、好ましくは肩部の領域において、下部ストラップセクションのための支持面を形成し、この支持面に対して、下部ストラップセクションは制止位置において押圧される。
【００１８】
挿入要素が最上部のチューブスリーブを受け入れるよう形成された実施形態において、最上部のチューブセクションは、挿入要素のスリーブ状のネックセクションにおける内側の上端部の上部停止面に達する。上部停止面は、前記隔壁として、又は例えば挿入要素のヘッドセクションとの境界を形成するネックセクションと比較して、小さい径を有するスリーブセクションとして、形成することができる。したがって、最上部のチューブセクションのための上部停止面は、挿入要素のヘッドセクションとネックセクションとの間に配置された、外周の径方向の肩部によって形成することもできる。好ましくは、この好ましい実施形態によると、挿入要素のヘッドセクション及びネックセクションは、一体化して形成される。
【００１９】
挿入要素は、少なくとも一部が、好ましくは全体が、例えば、アルミニウム又はアルミニウム合金などの金属で形成されるのが好ましい。しかし代替として、挿入要素は一部が、又は全体が、プラスチック、特に硬質プラスチック、好ましくはＰＣ、ＰＰ、ポリアミド、又はＡＢＳで形成され、これらは任意選択で繊維強化しうる。
【００２０】
長手方向軸に沿って、若しくは取り付けられた状態でポール長手方向軸に沿って、又はハンドル本体の長手方向軸に沿って測定した挿入要素の総延長は、好ましくは２０〜７０ｍｍ、より好ましくは３０〜６０ｍｍである。その中で、最上部のチューブセクションの中に突出するネックセクションは、好ましくは１０〜４０ｍｍ、より好ましくは２０〜３０ｍｍの長さを有する。好ましくは、挿入要素のヘッドセクションは、ネックセクションよりも長く形成されるが、代替としてヘッドセクションの長さは、ネックセクションの長さに対して反対の関係が可能であり、又は両セクションが本質的に等しい長さとすることが可能である。
【００２１】
ヘッドセクションにおける挿入要素の外径は、好ましくは１２〜２２ｍｍ、より好ましくは１４〜１８ｍｍである。挿入要素のネックセクションの外径は、好ましくは１０〜２０ｍｍ、より好ましくは１２〜１６ｍｍである。
【００２２】
挿入要素のヘッドセクションは、好ましくはハンドル本体のヘッドセクションの内部における第２の軸方向開口部を限定する上壁の上部停止面と接触する。挿入要素のヘッドセクションに対する、ハンドル本体の開口部又は穴の寸法は、挿入要素の寸法と整合される。
【００２３】
ハンドストラップの上部の第１の端部は、定着要素によって、好ましくはねじ、ピン、ボルト、又はリベットによって、挿入要素の上壁に、又はその上に有利に定着される。その中で、別の好ましい実施形態において、定着要素は、好ましくは挿入要素のヘッドセクションの上壁における、軸方向の中央開口部又は穴の中に突出する。ハンドストラップの第１の端部がねじによって定着される場合、軸方向の中央開口部又は穴は、好ましくは内ねじを備える。
【００２４】
本発明によるポールハンドルにおいて、自由な下部の第２の端部を伴ってハンドル本体を出る下部ストラップセクションは、グリップ本体に入る中間ストラップセクションの直下に配置される。
【００２５】
別の好ましい実施形態によると、湾曲要素はピンである。ピンは、挿入要素のヘッドセクションに本質的に水平に、且つハンドル本体又はハンドル本体に装着されたポールの長手方向軸を本質的に横行して配置される。ピンは、挿入要素のヘッドセクションの領域の側壁における挿入要素の対応する両側の開口部又は穴に、好ましくは保持又は取り付けられる。これらの２つの開口部のうちの少なくとも１つは、貫通穴として一方の側に形成され、それによってピンを外側から挿入することができ、したがって挿入要素又はハンドル本体に定着させることができる。これは一方で、挿入要素を別個の構造ユニットとして作製するのを簡略化し、当初の組立て中又は取り換えの場合にハンドルヘッドの中に挿入できる。他方で、制止要素若しくはハンドストラップが摩損した場合に、ピン、制止要素、又はハンドストラップの交換を可能にする。
【００２６】
したがって、ハンドストラップの湾曲要素として働く横行ピンは、挿入要素の上部中央開口部を、ポール長手方向軸を横行する方向、及び中間ストラップセクションがハンドル本体の開口部の水平セクションの中に挿入される方向に対して横行する方向に、貫通して突出する。
【００２７】
ピン、すなわち横行ピンは、円形断面を有することができるが、例えば摩擦を増加させるために、方形、矩形、又は多角形の断面などの別の断面形状を提供することも可能である。
【００２８】
好ましくは、制止要素は、横行ピンとして形成された湾曲要素に、回転可能又は固定して定着される。したがって、制止要素は、好ましくは挿入要素の上部中央開口部、すなわち挿入要素のヘッド領域に配置される。
【００２９】
別の好ましい実施形態による制止要素は、湾曲要素又は横行ピンの周りを、回転可能又は枢動可能に取り付けられる。横行ピンは、制止要素の枢軸又は回転軸に沿って配置され、それによって制止要素は横行ピンの周りを回転する。したがって好ましくは、ハンドル本体に入る中間ストラップセクションは、横行ピンの周りに誘導され、第２の自由な下端部と共に、開口部の水平の第１のセクションの領域の下方のハンドル本体から誘導されて出される。或いは、制止要素を横行ピンに固定して定着させることができ、ここで横行ピンは、挿入要素の両側の開口部又は穴に回転可能に配置される。
【００３０】
別の好ましい実施形態は、制止要素が下向きに角度が付けられているか、又は底部に向けて方向付けられた領域を有しており、制止要素は、制止位置における自由な下部の第２の端部に向かってハンドル本体を出る下部ストラップセクションに押圧されることに特徴付けられる。ＥＰ１８１９４０６のポールハンドルとは対照的に、ここでは制止位置において、下部ストラップセクションのみが、制止要素によって制止されるように挿入要素の支持面に押圧される。
【００３１】
制止要素は、好ましくは湾曲セクションを備え、その外側は少なくとも１２０°、好ましくは少なくとも１６０°の包囲角度で、中間ストラップセクションによって囲まれる。好ましくは、直線セクションが湾曲セクションに隣接する。ピンから離れるように方向付けられて、又はポールハンドルの後ろ側の開口部の入口に向けて方向付けられた直線セクションの端部、すなわち脚部において、上述のように、下向きに角度が付けられているか、又は底部に向けられている領域が配置されるのが好ましい。
【００３２】
底部に向けて角度が付けられた制止要素の領域は、直線セクション、すなわち脚部から７０〜１２０°の角度が付けられている。
【００３３】
制止要素の直線セクション及び下向きに角度が付けられた領域は、好ましくは、ハンドストラップが下向きに方向付けられた場合に、ハンドル本体の開口部に入る中間ストラップセクションが、自由端部に向けてハンドル本体を出る下部ストラップセクションに向かって下向きに、制止要素の下向きに角度が付けられた領域を引くような、長さ又は高さをそれぞれ備える。下向きに方向付けられたハンドストラップに対する引張りは、制止要素の湾曲セクションに引張りをもたらし、それは制止要素の回転をもたらし、下部ストラップセクションに対して、制止要素の下向きに角度が付けられた領域に、力が適用されることになる。制止要素の下向きに角度が付けられた領域が、その底部側に下向きに方向付けられた歯部、若しくは、好ましくは下向きに方向付けられた少なくとも１つの歯、又は連続した締結縁部を備える場合に、特に有利である。これは、制止要素が下向きに湾曲されるときに、下向きに方向付けられた歯がストラップバンドを固く締結する際に、制止要素と下部ストラップセクションとの摩擦を増加させる。加えて、歯はストラップバンドに加える圧力を増加させ、それによって保持力を改善する。
【００３４】
制止要素は、ハンドストラップの下向きの動きの場合、又はハンドストラップに下向きの引張りが働く場合に、下部ストラップセクションを制止するために、湾曲要素の周りに下向きに枢動する。対照的に、ハンドストラップの上向きの動きの場合、制止要素は、ハンドストラップの長さの調整機能を目的として、湾曲要素の周りに上向きに枢動し、その一方で、角度が付けられた領域、すなわち制止要素の角度が付けられた領域が、下部ストラップセクションから持ち上げられるか、又は下部ストラップセクションにかかる圧力が少なくとも軽減される際に、下部ストラップセクションは解放される。制止要素は、下向きの引張り力によって制止位置に保持される。好ましくは、ハンドストラップの長さの調整機能は、ハンドストラップが特に水平位置に湾曲されたとき、及び特にハンドストラップの上向きの動きの場合のみに、可能となる。本発明はさらに、ポール、特に上述の実施形態のうちの１つに従ったポールハンドルを備える、ウォーキングポール、トレッキングポール、アルペンスキーポール、クロスカントリースキーポール、又はノルディックウォーキングポールに関する。
【００３５】
本発明の別の実施形態が、従属請求項に規定される。
【図面の簡単な説明】
【００３６】
【図１】歩く方向に対して左後ろの斜めからの、ポールに付けられた、第１の実施形態によるポールハンドルの概略斜視図である。
【図２】歩く方向に対して左前の斜めからの、図１のポールハンドルの概略斜視図である。
【図３】歩く方向に対して後ろからの、図１のポールハンドルの概略図である。
【図４】図３のＡ−Ａ断面に沿った、図１のポールハンドルの概略図である。
【図５】図４のポールハンドルの、上部セクションの詳細断面図である。
【図６】歩く方向に対して後ろからの、ポールに付けられた、第２の実施形態によるポールハンドルの概略図である。
【図７】図６のＢ−Ｂ断面に沿った、図６のポールハンドルの概略断面図である。
【発明を実施するための形態】
【００３７】
本発明の好ましい実施形態を、図面を参照して以下で説明する。図面は、本発明の好ましい実施形態を例示するためのものであり、本発明を限定するものではない。
【００３８】
図１は、制止位置又は締結位置にある、本発明によるポール１の第１の実施形態である。ポールハンドル１のハンドル本体４は、ポールチューブの上端部、すなわちポールチューブの最上部のチューブセクション３に定着される。ハンドル本体４は、上部ヘッドセクション４ａ及び下部グリップセクション４ｂを備える。ハンドル本体４のヘッドセクション４ａに定着されたハンドストラップ２は、長さ調整可能であるように形成される。ハンドストラップ２の直径を減少させるため、ハンドストラップ２のストラップバンドの下部の自由な第２の端部２ｂを引く必要がある。ハンドストラップ２又はハンドルヘッド４ａから出る上部ストラップセクション２ｃ、及びハンドルヘッド４ａ若しくはハンドル本体４に入る中間ストラップセクション２ｄが、上向きに動かされる場合にのみ、
長さを変更すること、若しくは調整することができ、又は下部の自由な第２の端部を引っ張ることが可能である。
【００３９】
図４に示されるように、ハンドル本体４は、底部に開口して、その中にポールチューブ３が挿入される軸方向開口部、すなわち軸方向の空洞２１を備える。ポールハンドル１は、人間工学的に形成される。ここでハンドル本体４のグリップセクション４ｂは、歩く方向Ｖの前方に向いた、指を支持するための肩部４ｄ、及びグリップセクション４ｂの下端部において後ろに向いた、突出部４ｃを備える。ハンドルヘッド４ａの上端部には、歩く方向Ｖに張り出したノブが形成され、使用者が上からポールに寄り掛かること、及びその周りを把持することを容易にする。
【００４０】
さらに、ハンドル本体４のハンドルヘッド４ａは、開口部６を備える。開口部６は、歩く方向Ｖに対してポールハンドル１の後ろ側、すなわちハンドストラップがハンドルヘッド４ａに入るか、又はハンドルヘッド４ａから出る使用者の側に向けて、開口するように形成される。この本質的に水平である開口部６は、ポールチューブ、又はポールチューブの最上部のチューブセクション３が挿入される中央軸方向開口部２１の中に通じている。
【００４１】
図５に示された本発明による実施形態において、挿入されたポールチューブの最上部のチューブセクション３の上端部３ａの中に、挿入要素７が上から挿入される。前記挿入要素７は、そのネックセクション７ｂが、ポールチューブの最上部のチューブセクション３に係合する。挿入要素７のネックセクション７ｂは、中空の円筒として形成される。挿入要素７のヘッドセクション７ａは、上部に向かって開いている凸型の上壁７ｆを伴い、本質的には、いうなれば、周方向Ｕ１に対して不完全な中空の円筒としても形成される。ヘッドセクション７ａは、周方向において、歩く方向Ｖに対して正面側が閉じるように形成されるが、後ろ側に開口している。すなわち、挿入要素７のヘッドセクション７ａの側面は、挿入要素の外周方向Ｕ１において部分的に欠落している。ここでは、側面の外周の半分未満は欠落している。挿入要素７は、ハンドルヘッド４ａの頂部に向かう軸方向開口部２１を限定する壁部における上部停止面と接触する。
【００４２】
この開口部を通して、ハンドストラップ２は、ハンドルヘッド４ａの開口部６の中にさらに突出し、挿入要素７のヘッドセクション７ａの中央開口部８ａの中にさらに突出し得る。
【００４３】
挿入要素７の周方向Ｕ１において、挿入要素７の下部ネックセクション７ｂから上部ヘッドセクション７ａへの移行部に形成された、外周肩部１５は、ポールチューブの上部停止面として働く。ここで、図５に詳細に示されるように、肩部１５における外周下縁部１６、並びに挿入要素７のネックセクション７ｂの下部外周縁部１７は、傾斜させて形成される。
【００４４】
挿入要素７のヘッドセクション７ａとネックセクション７ｂとの間、又は挿入要素７の上部中央開口部８ａと下部中央開口部８ｂとの間は、図４及び図５の実施形態によると、隔壁９が配置される。隔壁９は、いうなれば、上部中央開口部８ａの床部を形成する。
【００４５】
挿入要素７のヘッドセクション７ａにおいて、制止要素１０は、回転軸の周りに回転可能、又は枢動可能に取り付けられる。この回転軸は、ポール長手方向軸Ｌ、又はポールハンドル１の長手方向軸に対して横行し、且つ歩く方向Ｖに対して横行して配置され、本質的に水平に配置される。回転軸に沿って、ピンすなわち横行ピン１１が配置され、その周りに制止要素１０が枢動可能に配置される。ヘッドセクション７ａは、その側壁又は側面の両側の各々において、貫通開口部を、又は少なくとも一方の側が開いている開口部を備え、それを通して横行ピン１１の一方の端部が各々の場合において突出する。
【００４６】
羽状に形成された制止要素１０は、湾曲セクション１０ａ並びにそれに隣接した脚部、すなわち直線セクション１０ｂを備え、角度が付けられた領域１０ｃがそれに続く。この角度が付けられた領域１０ｃは、その底部側に、下部ストラップセクション２ｅにかかる制止要素１０の摩擦力、すなわち制止力を増加させるための、下向きに方向付けられた小さい歯１２、すなわち歯部、又は連続した締結縁部を備える。
【００４７】
湾曲セクション１０ａ、並びに直線セクション１０ｂ及び角度が付けられた領域１０ｃは、挿入要素７のヘッドセクション７ａの内径全体にわたって延びるか、又は挿入要素７の上部中央開口部を通って、横行ピン１１の長手方向軸に平行な方向に、若しくはポール長手方向軸Ｌを横行する方向に、突出する。
【００４８】
ピン、すなわち横行ピン１１は、ハンドルヘッド４ａの内部、若しくは挿入要素の上部中央開口部８ａの内部で、ハンドストラップ２の中間ストラップ部分２ｄのための、湾曲要素としても同時に働く。
【００４９】
ハンドストラップ２は、２つの自由端部２ａ、２ｂを伴うストラップバンドを備え、上部の第１の端部２ａは、定着要素１３によって挿入要素７の上壁７ｆに定着される。定着させるために、挿入要素７のヘッドセクション７ａの上壁７ｆは、軸方向の中央開口部、すなわち穴１４を備える。ハンドストラップ２における上部の第１の端部２ａは、ピン、リベット、又はねじの形態である定着要素１３を、この中央開口部、すなわち穴１４の中に挿入することによって位置付けられる。
【００５０】
ストラップバンドは、定着された上部の第１の端部２ａを起点として、歩く方向Ｖに対して後ろを向く、本質的に水平なハンドルヘッド４ａの開口部を通過し、ポールハンドル１の後ろ側においてハンドルヘッド４ａから出る。そこから、ストラップバンドはハンドストラップ２を形成する。ハンドストラップ２は使用者の手を囲み、次に中間ストラップセクション２ｄを伴ってハンドルヘッド４ａの開口部６の中に再び入る。次に、ハンドストラップ２は、挿入要素７の上部中央開口部８ａの中に入り、挿入要素７に本質的に水平に取り付けられたピン、すなわち横行ピン１１の周りで、又は横行ピン１１の周りに回転可能に取り付けられた制止要素１０の周りで、湾曲される。湾曲された後、下部ストラップセクション２ｅが開口部６を通って後ろに向かい、再びハンドルヘッド４ａを離れる前に、まず下部ストラップセクション２ｅは、隔壁９によって少なくとも一部の領域に形成された支持面２０の頂部に置かれる。ストラップバンドの下部の自由な第２の端部２ｂは、底部に向かって自由にぶら下がり、示される実施形態において湾曲されて形成される。
【００５１】
示される実施形態では、制止要素１０の角度が付けられた領域１０ｃは、隔壁９に、又は挿入要素７のヘッドセクション７ａとネックセクション７ｂとの間の肩部１５の領域における支持面２０に、下部ストラップセクション２ｅを押圧する。押圧の目標位置は、挿入要素７のヘッドセクション７ａの下端部における側壁、又は側面の領域の、開口部６の径方向の第１のセクション６ａの下端部における、挿入要素とハンドル本体４の後壁との間の接触点の直前に位置される。
【００５２】
図４のハンドストラップは、所謂ニュートラル位置、すなわちハンドストラップが下向きに引かれて、制止要素１０が締結位置、すなわち制止位置にある位置と、ハンドストラップが上向きに引かれて、制止要素１０が調整位置、すなわちハンドストラップ２の長さが調整可能な位置のいずれの位置にもなく、制止位置と調整可能位置との間の位置にあるように示される。したがって、制止位置において、中間ストラップセクション２ｄは、開口部６の後部出口における下部ストラップセクション２ｅの頂部の直上に置かれる。
【００５３】
図には示されないが、ポールを使用中である通常の場合、又はハンドストラップ２が下向きに引かれる際に、ハンドストラップ２が下向きに方向付けられた場合、中間ストラップセクション２ｄは、制止要素１０の湾曲セクション１０ａを時計回り方向Ｕ２に引く。中間ストラップセクション２ｄの引張りによって、制止要素１０は、中間ストラップセクション２ｄによる制止要素１０の湾曲セクション１０ａの囲い込みのため、横行ピン１１の周り、すなわち回転軸の周りに回転される。それによって、制止要素１０の角度が付けられた領域１０ｃは、下部ストラップセクション２ｅ上に押圧され、それによって次に、下部ストラップセクション２ｅは、挿入要素７の肩部１５の領域において、側壁の領域の支持面２０に押圧される。そのため、ハンドストラップ２の長さは固定され、長さの調整機能は、この位置において防止される。ここで、角度が付けられた領域１０ｃの底部側における歯部１２、すなわちスパイクは、摩擦力、すなわち制止効果を増加させる。
【００５４】
ハンドストラップ２が、水平位置又は上向きに方向付けられて保持される場合、制止要素１０は容易に枢動可能となり、下にある下部ストラップセクション２ｅに、いかなる圧力も加えない。したがって、ハンドストラップ２の長さをこの位置において調整することができる。換言すると、ハンドストラップ２を、第２の自由端部２ｂを引くことによって短くすることができ、又はハンドル本体４の中に入る中間ストラップセクション２ｄを引くことによって長くすることができる。さらに、ハンドストラップ２が上向きに方向付けられた位置にあるとき、ハンドストラップ２の長さを任意の場合に増加させることができ、それは滑落した場合又はポールが引っ掛かった場合に、自動的に安全をもたらす。
【００５５】
図６において、ポールハンドルの第２の実施形態が、歩く方向の後ろから前に、ハンドル本体４のヘッドセクション４ａの開口部６をみた概略図で示される。図６の断面Ｂ−Ｂに沿った断面が、図７に示される。ここで、挿入要素７が、図４の実施形態よりも長く形成されているのが確認できる。図４に示すように、挿入要素７が、そのネックセクション７ｂを用いて最上部のチューブセクション３に挿入される代わりに、この実施形態においては、挿入要素７は、最上部のチューブセクション３上に位置されるか、又はスリーブで接続され、そこに、スリーブとして形成されたネックセクション７ｂの領域において定着される。したがって、最上部のチューブセクション３は、ネックセクション７ｂの全長にわたって、挿入要素７の下部中央開口部８ｂ内に延びている。さらに、挿入要素７のネックセクション７ｂは、ハンドル本体４の中央軸方向開口部２１に受け入れられ、それによってグリップ本体４におけるグリップ本体４内部に定着される。それによって、挿入要素７は、ハンドル本体４との構造ユニットとして、及び／又は最上部のチューブセクション３との構造ユニットとして、のいずれかで作製することができる。ネックセクション７ｂにおける挿入要素７の壁厚は、この実施形態においては、最上部のチューブセクション３の壁厚よりも大きい。
【００５６】
図４の実施形態では、挿入要素７の上部中央開口部８ａは、そのヘッドセクション７ａにおいて、ネックセクション７ｂにおける下部中央開口部８ｂよりも大きい直径を有する一方で、図７の実施形態では、挿入要素７の上部中央開口部８ａは、そのヘッドセクション７ａにおいて、ネックセクション７ｂにおいて下部中央開口部８ｂが有するよりも小さい直径を有する。したがって、ヘッドセクション７ａとネックセクション７ｂとの間において、挿入要素７の全周に沿って延びる径方向内向きの外周肩部１５ａ、換言すればより小さい直径のセクションが配置される。これは、ネックセクション７ｂの上端部において、最上部のチューブセクション３のための上部停止面を形成する。示された実施形態において、本質的に円板状の中空部、又は径方向に占める空洞２２が、外周肩部１５ａの領域における隔壁９、又は床部９の下方に配置される。
【００５７】
図４の実施形態のように、図７の実施形態においても、制止要素１０は、挿入要素７のヘッドセクション７ａの上部中央開口部８ａに配置され、定着される。制止要素１０の配置タイプ及び定着タイプ、並びに挿入要素上のハンドストラップ２を定着させるタイプも、この図７の代替の実施形態に適用可能である。
【符号の説明】
【００５８】
１  ポールハンドル
２  ハンドストラップ
２ａ  ２の上部の第１の端部
２ｂ  ２の下部の第２の端部
２ｃ  ２の上部ストラップセクション
２ｄ  ２の中間セクション
２ｅ  ２の下部ストラップセクション
３  最上部のチューブセクション、ポールチューブ
３ａ  ３の上端部
４  ハンドル本体
４ａ  ４のヘッドセクション
４ｂ  ４のグリップセクション
４ｃ  ４の後部突出部
４ｄ  ４の前肩部
５  ３の空洞、中央開口部
６  ４ａにおける４の開口部
６ａ  ６の水平の第１のセクション
６ｂ  ６の軸方向の第２のセクション
７  挿入要素
７ａ  ７のヘッドセクション
７ｂ  ７のネックセクション
７ｃ  ７の下端部
７ｄ  ７の上端部
７ｅ  ７の側壁
７ｆ  ７の上壁
８ａ  ７の上部中央開口部
８ｂ  ７の下部中央開口部
９  ７の隔壁、８ａの床部
１０  制止要素
１０ａ  １０の湾曲セクション
１０ｂ  １０の直線セクション、脚部
１０ｃ  １０の角度が付けられた領域
１１  １０の湾曲要素、横行ピン
１２  １０の１０ｃにおける歯部
１３  ２ａの定着要素
１４  ７ｆの軸方向中央開口部
１５  図４における７ａと７ｂとの間の、７上の肩部
１５ａ  図７における７ａと７ｂとの間の、７上の径方向肩部
１６  １５上における７の外周の傾斜が付いた縁部
１７  ７ｃ上における７の外周の傾斜が付いた縁部
１８  ６ａの上部制限部
１９  ６ａの下部制限部
２０  ７の支持面
２１  ３のための４の中央軸方向開口部
２２  ７ａと７ｂとの間の１５ａにおける空間
Ｌ  長手方向のポール軸
Ｕ  周方向
Ｖ  前方、歩く方向
【図１】
2020511225.tif 000003
【図２】
2020511225.tif 000004
【図３】
2020511225.tif 000005
【図４】
2020511225.tif 000006
【図５】
2020511225.tif 000007
【図６】
2020511225.tif 000008
【図７】
2020511225.tif 000009
【国際調査報告】
2020511225.tif 000010
2020511225.tif 000011
2020511225.tif 000012
2020511225.tif 000013
2020511225.tif 000014